(57)【特許請求の範囲】
【請求項１】
Ｙ個のコモン線の何れか、および、Ｘ個のデータ線の何れかと接続されたＬＥＤを含むマトリクス状のＬＥＤマトリクス回路を駆動し、Ｎ個の時分割フェーズの各々で何れかのコモン線をアクティブにするとともに、各フェーズにおいて何れかのデータ線をアクティブにすることで、アクティブとなったコモン線およびデータ線に接続されたＬＥＤを点灯させるＬＥＤ制御装置であって、
前記Ｙ個のコモン線のうちＮ＝Ｐ＋ＱとなるＰ個のコモン線と接続されるとともに、Ｑ個の制御線を出力するコモン線タイミング制御手段であって、Ｐ個のコモン線のそれぞれに時分割フェーズの１フェーズを割り当て、かつ、Ｑ個の制御線のそれぞれに時分割フェーズの１フェーズを割り当て、１フェーズずつ前記Ｐ個のコモン線およびＱ個の制御線を順次アクティブにすることにより、Ｎ時分割で前記ＬＥＤマトリクス回路を駆動するコモン線タイミング制御手段と、
前記Ｑ個の制御線の出力を受け入れ、かつ、前記（Ｙ−Ｐ）個のコモン線と接続されたセレクタであって、前記Ｑ個の制御線に割り当てられたフェーズにおいて前記（Ｙ−Ｐ）個のコモン線の何れかを割り当てるための前記コモン線タイミング制御回路からの選択信号にしたがって前記（Ｙ−Ｐ）個のコモン線のうちの何れかを選択する選択手段と、
前記Ｘ本のデータ線に接続され、前記Ｐ個のコモン線に割り当てられたフェーズにおいて当該Ｐ個のコモン線をアクティブにした場合は１ないし複数のデータ線をアクティブにするとともに、前記Ｑ個の制御線に割り当てられたフェーズにおいて当該Ｑ個の制御線をアクティブにした場合は単一のデータ線をアクティブにするデータ線タイミング制御手段と、
を備えたことを特徴とするＬＥＤ制御装置。
【請求項２】
Ｎ＝４であり、かつ、Ｐ＝３、Ｑ＝１であることを特徴とする請求項１に記載のＬＥＤ制御装置。
【請求項３】
Ｎ＝４であり、かつ、Ｐ＝２、Ｑ＝２であることを特徴とする請求項１に記載のＬＥＤ制御装置。
【請求項４】
楽曲の音高および発音タイミングを示す演奏データを記憶した記憶装置、
鍵盤、
鍵盤において、押鍵された鍵にしたがった音高の楽音を発生する楽音発生手段、
前記鍵盤の鍵の各々の内部に、或いは、当該鍵の各々に隣接して配置されたＬＥＤであって、Ｙ個のコモン線の何れか、および、Ｘ個のデータ線の何れかと接続されたＬＥＤを含むマトリクス状のＬＥＤマトリクス回路、並びに、
Ｎ個の時分割フェーズの各々で何れかのコモン線をアクティブにするとともに、各フェーズにおいて何れかのデータ線をアクティブにすることで、アクティブとなったコモン線およびデータ線に接続されたＬＥＤを点灯させるＬＥＤ制御装置であって、
前記Ｙ個のコモン線のうちＮ＝Ｐ＋ＱとなるＰ個のコモン線と接続されるとともに、Ｑ個の制御線を出力するコモン線タイミング制御手段であって、Ｐ個のコモン線のそれぞれに時分割フェーズの１フェーズを割り当て、かつ、Ｑ個の制御線のそれぞれに時分割フェーズの１フェーズを割り当て、１フェーズずつ前記Ｐ個のコモン線およびＱ個の制御線を順次アクティブにすることにより、Ｎ時分割で前記ＬＥＤマトリクス回路を駆動するコモン線タイミング制御手段と、
前記Ｑ個の制御線の出力を受け入れ、かつ、前記（Ｙ−Ｐ）個のコモン線と接続されたセレクタであって、前記Ｑ個の制御線に割り当てられたフェーズにおいて前記（Ｙ−Ｐ）個のコモン線の何れかを割り当てるための前記コモン線タイミング制御回路からの選択信号にしたがって前記（Ｙ−Ｐ）個のコモン線のうちの何れかを選択する選択手段と、
前記Ｘ本のデータ線に接続され、前記Ｐ個のコモン線に割り当てられたフェーズにおいて当該Ｐ個のコモン線をアクティブにした場合は１ないし複数のデータ線をアクティブにするとともに、前記Ｑ個の制御線に割り当てられたフェーズにおいて当該Ｑ個の制御線をアクティブにした場合は単一のデータ線をアクティブにするデータ線タイミング制御手段と、を有するＬＥＤ制御装置、を備え、
前記記憶装置に記憶された演奏データに基づき、前記ＬＥＤ制御装置が、前記押鍵すべき鍵に対応するＬＥＤを点灯し、かつ、押鍵された鍵にしたがった音高の楽音を、前記楽音発生手段が発生するように構成されたことを特徴とする電子楽器。
【請求項５】
前記鍵盤において、前記Ｐ個のコモン線と接続されるＬＥＤに対応する鍵の第１の鍵域と、前記Ｙ−Ｐ個のコモン線と接続されるＬＥＤに対応する鍵の第２の鍵域とに分割され、
前記楽音発生装置が、前記第１の鍵域については、第１の音色で、同時に複数の楽音を発生することが、前記第２の鍵域については、第２の音色で、同時にＱ個の楽音を発生することが可能であることを特徴とする請求項４に記載の電子楽器。
【請求項６】
前記第１の鍵域が、前記鍵盤における低音側であり、前記第２の鍵域が、前記鍵盤における高音側であることを特徴とする請求項５に記載の電子楽器。
【発明の詳細な説明】
【技術分野】
【０００１】
本発明は、電子楽器の鍵盤に対応して配置されたＬＥＤの点灯を制御するＬＥＤ制御装置および電子楽器に関する。
【背景技術】
【０００２】
鍵盤の各鍵の中にＬＥＤを取り付け、或いは、電子楽器本体において鍵の根元（可動部）付近に各鍵に対応したＬＥＤを取り付けたような電子楽器が良く知られている。このような電子楽器においては、演奏曲のデータである演奏データが読み出され、押鍵すべき鍵のＬＥＤが点灯して、演奏者による押鍵を促す。これにより、演奏者の練習の手助けをすることができる。
【０００３】
ＬＥＤの点灯には、全てのＬＥＤを常時点灯可能な状態としておき、かつ、全てのＬＥＤのそれぞれのオン・オフを示すデータ線をＬＥＤと接続し、データ線からの制御信号によりＬＥＤの点灯を制御する方式（スタティック駆動）と、複数のコモン線と、複数のデータ線を用いて、ＬＥＤを何れかのコモン線およびデータ線と接続させてマトリクス状に配置し、複数のコモン線のうち１つをハイレベル（アクティブ）として、当該コモン線に接続されたＬＥＤを点灯可能とし、データ線により点灯可能となったＬＥＤのうち所定のものを点灯させ、この動作を連続して繰り返す方式（ダイナミック駆動）とが知られている。
【０００４】
スタティック駆動では、ＬＥＤの数だけデータ線が必要であり、電子楽器本体に実装すると、配線数が多くなるという問題点がある。したがって、現在、ダイナミック駆動で、電子楽器の鍵に対応して配置されたＬＥＤを点灯するのが一般的である。
【０００５】
特許文献１には、８本のコモン線（Ｃ１〜Ｃ８）および６本のデータ線（Ｌ１〜Ｌ６）を用いて、８×６＝４８個のＬＥＤを接続可能としたＬＥＤマトリクスが開示されている。コモン線Ｃ１〜Ｃ８は、８つのステージで時分割駆動される。つまり、コモン線Ｃ１〜Ｃ８は８つのステージの何れかにおいてアクティブとされ（特許文献１ではアクティブはローレベルとなっている）、アクティブとなったコモン線に接続されたＬＥＤのうち、アクティブ（ハイレベル）となったデータ線に接続されたＬＥＤが点灯する。
【特許文献１】特公昭６３−５３５５６号公報
【発明の開示】
【発明が解決しようとする課題】
【０００６】
ダイナミック駆動においては、コモン線を時分割でアクティブとするため、時分割数に応じて電流を多く流さないと、スタティック駆動と同程度のＬＥＤの明るさを確保することが困難です。一般的には、Ｎ時分割の場合には、スタティック駆動のＮ倍の瞬間電流が必要である。したがって、時分割数を増やすには駆動トランジスタの能力や、ＬＥＤの耐性が影響される。
【０００７】
通常の耐性のＬＥＤで、適度な明るさで点灯させるためには、４程度の時分割数が適切であるとされている。５オクターブの鍵（トータルで６１鍵）の鍵盤を有する電子楽器で、ＬＥＤマトリクスを構成するコモン線およびデータ線を最小化させると、８つのコモン線および８つのデータ線となる。
【０００８】
上記８×８のＬＥＤマトリクスを、４時分割で駆動するとなると、確実に同時に点灯可能なＬＥＤの数は４つに限られてしまう。無論、８時分割で駆動することにより、同時に点灯可能なＬＥＤ数を増やすことは可能であるが、上述したいように、適度な明るさを確保するには、駆動トランジスタの能力やＬＥＤの耐性を向上させる必要がある。
【０００９】
或いは、４×１６のＬＥＤマトリクスを４時分割で駆動すれば、同時に点灯可能なＬＥＤの数は制限されないことになる。しかしながら、８×８のＬＥＤマトリクスでは、８本のコモン線および８本のデータ線で足りたのに対して、４×１６のＬＥＤマトリクスでは、４本のコモン線および１６本のデータ線が必要となる。また、コモン線駆動用のトランジスタやデータ線駆動用のトランジスタの個数も多くなるという問題点がある。
【００１０】
その一方、初級者向けの電子楽器では、メロディとして単音を発音するため、メロディ用の鍵域（メロディエリア）では同時には１つのＬＥＤを点灯すればよく、また、伴奏用にコードを押鍵させるため、伴奏用の鍵域（伴奏エリア）では、最高で４つのＬＥＤを点灯すれば足りる。しかしながら、上述した８×８のＬＥＤマトリクスを４時分割で駆動するようなやり方では、点灯可能なＬＥＤが足りないかった。
【００１１】
本発明は、少ない時分割数で、メロディ用の鍵域および伴奏用の鍵域のそれぞれのＬＥＤを適切に点灯させることが可能なＬＥＤ制御装置、および、電子楽器を提供することを目的とする。
【課題を解決するための手段】
【００１２】
本発明の目的は、Ｙ個のコモン線の何れか、および、Ｘ個のデータ線の何れかと接続されたＬＥＤを含むマトリクス状のＬＥＤマトリクス回路を駆動し、Ｎ個の時分割フェーズの各々で何れかのコモン線をアクティブにするとともに、各フェーズにおいて何れかのデータ線をアクティブにすることで、アクティブとなったコモン線およびデータ線に接続されたＬＥＤを点灯させるＬＥＤ制御装置であって、
前記Ｙ個のコモン線のうちＮ＝Ｐ＋ＱとなるＰ個のコモン線と接続されるとともに、Ｑ個の制御線を出力するコモン線タイミング制御手段であって、Ｐ個のコモン線のそれぞれに時分割フェーズの１フェーズを割り当て、かつ、Ｑ個の制御線のそれぞれに時分割フェーズの１フェーズを割り当て、１フェーズずつ前記Ｐ個のコモン線およびＱ個の制御線を順次アクティブにすることにより、Ｎ時分割で前記ＬＥＤマトリクス回路を駆動するコモン線タイミング制御手段と、
前記Ｑ個の制御線の出力を受け入れ、かつ、前記（Ｙ−Ｐ）個のコモン線と接続されたセレクタであって、前記Ｑ個の制御線に割り当てられたフェーズにおいて前記（Ｙ−Ｐ）個のコモン線の何れかを割り当てるための前記コモン線タイミング制御回路からの選択信号にしたがって前記（Ｙ−Ｐ）個のコモン線のうちの何れかを選択する選択手段と、
前記Ｘ本のデータ線に接続され、前記Ｐ個のコモン線に割り当てられたフェーズにおいて当該Ｐ個のコモン線をアクティブにした場合は１ないし複数のデータ線をアクティブにするとともに、前記Ｑ個の制御線に割り当てられたフェーズにおいて当該Ｑ個の制御線をアクティブにした場合は単一のデータ線をアクティブにするデータ線タイミング制御手段と、を備えたことを特徴とするＬＥＤ制御装置により達成される。
【００１４】
たとえば、Ｎ＝４であり、かつ、Ｐ＝３、Ｑ＝１である。或いは、Ｎ＝４であり、かつ、Ｐ＝２、Ｑ＝２であっても良い。
【００１５】
また、本発明の目的は、楽曲の音高および発音タイミングを示す演奏データを記憶した記憶装置、
鍵盤、
鍵盤において、押鍵された鍵にしたがった音高の楽音を発生する楽音発生手段、
前記鍵盤の鍵の各々の内部に、或いは、当該鍵の各々に隣接して配置されたＬＥＤであって、Ｙ個のコモン線の何れか、および、Ｘ個のデータ線の何れかと接続されたＬＥＤを含むマトリクス状のＬＥＤマトリクス回路、並びに、
Ｎ個の時分割フェーズの各々で何れかのコモン線をアクティブにするとともに、各フェーズにおいて何れかのデータ線をアクティブにすることで、アクティブとなったコモン線およびデータ線に接続されたＬＥＤを点灯させるＬＥＤ制御装置であって、
前記Ｙ個のコモン線のうちＮ＝Ｐ＋ＱとなるＰ個のコモン線と接続されるとともに、Ｑ個の制御線を出力するコモン線タイミング制御手段であって、Ｐ個のコモン線のそれぞれに時分割フェーズの１フェーズを割り当て、かつ、Ｑ個の制御線のそれぞれに時分割フェーズの１フェーズを割り当て、１フェーズずつ前記Ｐ個のコモン線およびＱ個の制御線を順次アクティブにすることにより、Ｎ時分割で前記ＬＥＤマトリクス回路を駆動するコモン線タイミング制御手段と、
前記Ｑ個の制御線の出力を受け入れ、かつ、前記（Ｙ−Ｐ）個のコモン線と接続されたセレクタであって、前記Ｑ個の制御線に割り当てられたフェーズにおいて前記（Ｙ−Ｐ）個のコモン線の何れかを割り当てるための前記コモン線タイミング制御回路からの選択信号にしたがって前記（Ｙ−Ｐ）個のコモン線のうちの何れかを選択する選択手段と、
前記Ｘ本のデータ線に接続され、前記Ｐ個のコモン線に割り当てられたフェーズにおいて当該Ｐ個のコモン線をアクティブにした場合は１ないし複数のデータ線をアクティブにするとともに、前記Ｑ個の制御線に割り当てられたフェーズにおいて当該Ｑ個の制御線をアクティブにした場合は単一のデータ線をアクティブにするデータ線タイミング制御手段と、を有するＬＥＤ制御装置、を備え、
前記記憶装置に記憶された演奏データに基づき、前記ＬＥＤ制御装置が、前記押鍵すべき鍵に対応するＬＥＤを点灯し、かつ、押鍵された鍵にしたがった音高の楽音を、前記楽音発生手段が発生するように構成されたことを特徴とする電子楽器により達成される。
【００１６】
好ましい実施態様においては、前記鍵盤において、前記Ｐ個のコモン線と接続されるＬＥＤに対応する鍵の第１の鍵域と、前記Ｙ−Ｐ個のコモン線と接続されるＬＥＤに対応する鍵の第２の鍵域とに分割され、
前記楽音発生装置が、前記第１の鍵域については、第１の音色で、同時に複数の楽音を発生することが、前記第２の鍵域については、第２の音色で、同時にＱ個の楽音を発生することが可能である。
【００１７】
より好ましい実施態様においては、前記第１の鍵域が、前記鍵盤における低音側であり、前記第２の鍵域が、前記鍵盤における高音側である。
【発明の効果】
【００１８】
本発明によれば、少ない時分割数および少ない数の信号線で、所望の数のＬＥＤを適切に点灯させる、たとえば、メロディ用の鍵域および伴奏用の鍵域のそれぞれのＬＥＤを適切に点灯させることが可能なＬＥＤ制御装置、および、電子楽器を提供することが可能となる。
【発明を実施するための最良の形態】
【００１９】
以下、添付図面を参照して、本発明の実施の形態について説明する。図１は、本発明の実施の形態にかかる電子楽器の構成を示すブロックダイヤグラムである。図１に示すように、本実施の形態にかかる電子楽器１０は、鍵盤１１、ＣＰＵ１２、ＲＯＭ１４、ＲＡＭ１６、楽音発生回路１８、サウンドシステム２０、ＬＥＤ駆動回路２２および押鍵検出回路２４を有する。ＣＰＵ１２、ＲＯＭ１４、ＲＡＭ１６、楽音発生回路１８、ＬＥＤ駆動回路２２および押鍵検出回路２４は、バスを介して接続される。
【００２０】
本実施の形態において、鍵盤の数は６１であり、鍵盤１１の各鍵（たとえば、符号３０）には、ＬＥＤ３２が取り付けられている。ＬＥＤ３２は、後述するように、８つのコモン線および８つのデータ線によりマトリクス状に接続され、ＬＥＤ駆動回路２２からのコモン線の信号およびデータ線の信号によってそれぞれの点灯が制御される。
【００２１】
押鍵検出回路２４は、演奏者の押鍵操作による鍵盤１１の鍵３０の押鍵状態を検知し、押鍵された鍵を特定する情報および押鍵された鍵のベロシティを示す情報をＣＰＵ１２に伝達することができる。
【００２２】
ＣＰＵ１２は、システム制御、押鍵された鍵に応じた音高の楽音を生成するための楽音発生回路１８に与える種々の情報の生成などを実行する。ＲＯＭ１６は、プログラムや、プログラムの実行の際に使用されるパラメータ、楽音発生回路１８により生成される楽音データのもととなる波形データ、演奏すべき楽曲の音高情報などを含む演奏データなどを記憶する。ＲＡＭ１８は、プログラムの実行の過程で必要な変数、パラメータ、入力データ、出力データなどを一時的に記憶する。
【００２３】
楽音発生回路１８は、ＣＰＵ１２から与えられた発音すべき楽音の音色を示す音色情報、楽音の音高を示す音高情報、大きさを示すベロシティ情報に基づいて、ＲＯＭ１６から所定の波形データを読み出して、所定の音高の楽音データを生成し、サウンドシステム２０に出力する。
【００２４】
本実施の形態においては、鍵盤１１が伴奏エリア（符号１０１参照）およびメロディエリア（符号１０２参照）という２つの鍵域に分けられている。伴奏エリアに属する鍵については、ＣＰＵ１２は、伴奏用の音色で発音するように楽音発生回路１８に情報を与え、その一方、メロディエリアに属する鍵については、ＣＰＵ１２は、メロディ用の音色で発音するように楽音発生回路１８に情報を与える。
【００２５】
サウンドシステム２０は、Ｄ／Ａ変換器、増幅回路、スピーカを備え、楽音データをアナログ信号に変換して増幅し、スピーカから楽音データに相当する楽音を発する。
【００２６】
本実施の形態にかかる電子楽器においては、ＣＰＵ１２が、ＲＯＭ１６から、演奏すべき楽曲の演奏データを読み出して、ＬＥＤ駆動回路２２を駆動して、演奏者が押鍵すべき鍵３０のＬＥＤ３２を点灯させる。本実施の形態においては、たとえば、伴奏エリアで同時に発音される楽音は最高で４音、メロディエリアで同時に発音される楽音は１音（単音）としている。したがって、伴奏エリアの鍵のＬＥＤは最高で同時に４つ点灯する一方、メロディエリアの鍵のＬＥＤは、同時に１つだけ点灯する。なお、ここで同時とは、一連の時分割フェーズ（本実施の形態においては、第１フェーズから第４フェーズまでの一連の４つのフェーズ）において点灯する場合も含む。つまり、ある単一のフェーズで２つのＬＥＤを点灯することも同時であるし、一連の４つのフェーズにおいて、第１フェーズでＬＥＤを点灯し、かつ、第３フェーズでＬＥＤを点灯することも、同時に点灯することに含まれる。
【００２７】
図２は、本実施の形態にかかるＬＥＤ駆動回路およびＬＥＤマトリクス回路を示すブロックダイヤグラムである。図２に示すように、ＬＥＤ駆動回路２２からは、８本のコモン線Ｙ０〜Ｙ７と、８本のデータ線Ｘ０〜Ｘ７がＬＥＤマトリクス回路４０に接続される。ここに、コモン線は、時分割駆動される引き込み側の制御線であり、また、データ線は、点灯させるべきＬＥＤに対して、電流を流すための制御線である。本実施の形態においては、６１個のＬＥＤが発行されるため、Ｙ０〜Ｙ６には、それぞれ、８つのＬＥＤが接続され、かつ、Ｙ７には５つのＬＥＤが接続される。
【００２８】
図３は、本実施の形態にかかるＬＥＤマトリクス回路の構成を示すブロックダイヤグラムである。図３に示すように、ＬＥＤマトリクス回路４０は、６１個のＬＥＤ（符号３２参照）がマトリクス状に配置され、それぞれのＬＥＤ３２には、何れかのコモン線および何れかのデータ線が接続される。
【００２９】
コモン線Ｙ０〜Ｙ７は、それぞれ、電流引き込みのためのトランジスタＴＲｂが接続され、トランジスタＴＲｂのコレクタは、コモン線に接続されるＬＥＤ３２のカソードと接続される。
【００３０】
データ線Ｘ０〜Ｘ７は、それぞれ、データ線に電流を流すためのトランジスタＴＲａと接続される。トランジスタＴＲａのコレクタは、抵抗Ｒを介して、データ線に接続されるＬＥＤ３２のアノードと接続されている。
【００３１】
図３においてＬＥＤに隣接して書かれている文字は、鍵の音高を示している。コモン線Ｙ０からＹ７に向けて、徐々に鍵の音高が高くなる。本実施の形態においては、コモン線Ｙ０に最低音Ｃ１〜Ｇ１、Ｙ１にＧ＃１〜Ｄ＃２、Ｙ２にＥ２〜Ｂ２、Ｙ３にＣ３〜Ｇ３、Ｙ４にＧ＃３〜Ｄ＃４、Ｙ５にＥ４〜Ｂ４、Ｙ６にＣ５〜Ｇ５、Ｙ７にＧ＃５〜最高音Ｃ６が接続される。
【００３２】
図４は、本実施の形態にかかるＬＥＤ駆動回路をより詳細に示すブロックダイヤグラムである。図４に示すように、本実施の形態にかかるＬＥＤ駆動回路２２は、Ｙ信号（コモン線）タイミング制御部４２、セレクタ４４およびＸ信号（データ線）タイミング制御部４６を有している。
【００３３】
Ｙ信号タイミング制御部４２およびＸ信号タイミング制御部４６には、ＣＰＵ１２から点灯すべきＬＥＤを特定する鍵指定信号が与えられる。
【００３４】
Ｙ信号タイミング制御部４２は、コモン線を順次アクティブ（本実施の形態においてはハイレベル）にして時分割駆動するとともに、時分割駆動のタイミング信号をＸ信号タイミング制御部４６に与える。Ｘ信号タイミング制御部４６は、ＣＰＵ１２から与えられた鍵指定信号と、Ｙ信号タイミング制御部４６から与えられたタイミング信号にしたがって、点灯すべきＬＥＤに接続されたデータ線を所定のタイミングでアクティブ（本実施の形態においてはローレベル）にする。
【００３５】
本実施の形態においては、Ｙ信号タイミング制御部４２は、３本のコモン線Ｙ０〜Ｙ２と接続され、セレクタ４４が、残りの５本のコモン線Ｙ３〜Ｙ７と接続される。
【００３６】
Ｙ信号タイミング制御部４２は、３本のコモン線Ｙ０〜Ｙ２、および、セレクタ４４に接続された信号線（符号４８参照）の４本の信号線を時分割に駆動することになる。Ｙ信号タイミング制御部４２は、セレクタ４４に選択信号を出力し、コモン線Ｙ３〜Ｙ７の何れか一本のコモン線Ｙｉ（ｉ＝３〜７）を選択させる。
【００３７】
図５は、本実施の形態にかかるコモン線の時分割駆動を説明するタイミングチャートである。図５に示すように、本実施の形態では時分割数は４であり、第１フェーズ（図５におけるＩ）から第４フェーズ（図５におけるＩＶ）のそれぞれで、何れかのコモン線がハイレベルとなっている。
【００３８】
Ｙ信号タイミング制御部４２およびセレクタ４４により、第１フェーズではコモン線Ｙ０がハイレベル、第２フェーズではコモン線Ｙ１がハイレベル、第３フェーズではＹ２がハイレベル、第４フェーズでは、コモン線Ｙ３〜Ｙ７のうちセレクタ４４で選択されたいずれかのコモン線Ｙｉ（ｉ＝３〜７）がハイレベルとなる。
【００３９】
すなわち、本実施の形態においては、コモン線Ｙ０〜Ｙ２については、それぞれ、当該コモン線に接続された電流引き込みのためのトランジスタＴＲｂの能力に応じて、それぞれのコモン線に接続されたＬＥＤを点灯させることができる。たとえば、ＴＲｂが、８つ（すなわちコモン線に接続された全ての）ＬＥＤを点灯可能であれば、第１フェーズ〜第３フェーズのそれぞれで、Ｃ１〜Ｇ１、Ｇ＃１〜Ｄ＃２およびＥ２〜Ｂ２の全てのＬＥＤを同時に点灯させることができる。
【００４０】
その一方、コモン線Ｙ３〜Ｙ７については、第4フェーズにおいて、何れか１つのコモン線のみがハイレベルとなり、そのコモン線に接続されたＬＥＤのみが点灯可能となる。
【００４１】
前述したように、本実施の形態では、伴奏エリアで同時に発音される楽音は最高で４音、メロディエリアで同時に発音される楽音は１音（単音）であり、コモン線Ｙ０〜Ｙ２に接続されるＬＥＤが取り付けられた鍵（音高：Ｃ１〜Ｂ２）が伴奏エリアに属する鍵であり、コモン線Ｙ３〜Ｙ７に接続されるＬＥＤが取り付けられた鍵（音高：Ｃ３〜Ｃ６）がメロディエリアに属する鍵である。
【００４２】
したがって、本実施の形態によれば、メロディエリアに属する鍵、つまり、コモン線Ｙ３〜Ｙ７に接続された鍵については、同時に単音しか発音されず、したがって、メロディエリアに属する鍵については、同時には単一のＬＥＤを点灯すればよい。そこで、本実施の形態においては、第４フェーズにおいて、コモン線Ｙ３〜Ｙ７のうち、発音すべき鍵（点灯すべき鍵）のＬＥＤが接続されたコモン線をセレクタ４４によって選択し、選択されたコモン線のみをハイレベルとする。
【００４３】
以下、伴奏エリアにおいて、「Ｆｍａｊ７」を押鍵させるべく、「Ｆｍａｊ７」を構成する鍵（Ｆ１、Ａ１、Ｃ２、Ｅ２）のＬＥＤを点灯し、メロディエリアにおいて、「Ａ４」を押鍵させるべく、「Ａ４」の鍵のＬＥＤを点灯する場合について、図６〜図９および図１０を参照して説明する。
【００４４】
図６〜図９は、第１フェーズ〜第４フェーズのそれぞれにおいて、点灯すべきＬＥＤを説明するＬＥＤマトリクスのブロックダイヤグラム、図１０は、コモン線およびデータ線のタイミングチャートである。図６〜図９に示す第１フェーズ〜第４フェーズフェーズは、それぞれ、図１０の左側のＩ〜ＩＶで示すフェーズに相当する。
【００４５】
図６および図１０に示すように、第１フェーズにおいては、Ｙ信号タイミング制御部４２は、コモン線Ｙ０をハイレベルとして、Ｃ１〜Ｇ１に対応するＬＥＤを点灯可能とする（図６の符号６００参照）。Ｘ信号タイミング制御部４６は、第１フェーズでは、ＣＰＵ１２からの鍵指定情報にしたがって、Ｆ１のＬＥＤ（符号６０１参照）を点灯させるために、データ線Ｘ５をローレベルにする。これにより、Ｆ１のＬＥＤが点灯する。
【００４６】
次いで、図７および図１０に示すように、第２フェーズにおいては、Ｙ信号タイミング制御部４２は、コモン線Ｙ１をハイレベルとして、Ｇ＃１〜Ｄ＃２に対応するＬＥＤを点灯可能とする（図７の符号７００参照）。Ｘ信号タイミング制御部４６は、第２フェーズでは、ＣＰＵ１２からの鍵指定情報にしたがって、Ａ１のＬＥＤ（符号７０１参照）およびＣ２のＬＥＤ（符号７０２参照）を点灯させるために、データ線Ｘ１およびＸ４をローレベルにする。これにより、Ａ１およびＣ２のＬＥＤが点灯する。
【００４７】
図８および図１０に示すように、第３フェーズにおいては、Ｙ信号タイミング制御部４２は、コモン線Ｙ２をハイレベルとして、Ｅ２〜Ｂ２に対応するＬＥＤを点灯可能とする（図８の符号８００参照）。Ｘ信号タイミング制御部４６は、第３フェーズでは、ＣＰＵ１２からの鍵指定情報にしたがって、Ｅ２のＬＥＤ（符号８０１参照）を点灯させるために、データ線Ｘ０をローレベルにする。これにより、Ｅ２のＬＥＤが点灯する。
【００４８】
第４フェーズは、メロディエリアの鍵のＬＥＤを点灯する。図９および図１０に示すように、第４フェーズにおいては、Ｙ信号タイミング制御部４２は、発音すべき鍵のＬＥＤが接続されたコモン線を選択して、選択信号をセレクタ４４に出力する。この例では、Ｙ信号タイミング制御部４２は、Ｙ３〜Ｙ７のうち（符号９００参照）、Ａ４のＬＥＤが接続されたコモン線Ｙ５が選択されるように、制御信号をセレクタ４４に出力する。これにより、セレクタからのコモン線Ｙ３〜Ｙ７のうち、コモン線Ｙ５がハイレベルとなり、Ｅ４〜Ｂ４に対応するＬＥＤが点灯可能なる（符号９０１参照）。Ｘ信号タイミング制御部４６は、第４フェーズでは、ＣＰＵ１２からの鍵指定情報にしたがって、Ａ４のＬＥＤ（符号９０２参照）を点灯させるために、データ線Ｘ５をローレベルにする。これにより、Ａ４のＬＥＤが点灯する。
【００４９】
図１０において、次の第１フェーズから第３フェーズ（右側のＩ〜ＩＩＩ）においても、伴奏エリアにおいては同様の押鍵をさせたい場合には、第１フェーズから第３フェーズでは、同様のコモン線がハイレベルになり、かつ、同様のデータ線がローレベルとなる。
【００５０】
その一方、図１０において、次の第４フェーズ（右側のＩＶ）は、Ｃ５を点灯させるときのコモン線およびデータ線の状態を示している。
【００５１】
この場合には、Ｙ信号タイミング制御部４２は、Ｃ５のＬＥＤが接続されたコモン線Ｙ６が選択されるように、制御信号をセレクタ４４に出力する。これにより、セレクタからのコモン線Ｙ３〜Ｙ７のうち、コモン線Ｙ６がハイレベルとなり、Ｃ５〜Ｇ５に対応するＬＥＤが点灯可能なる。また、Ｘ信号タイミング制御部４６は、第４フェーズでは、ＣＰＵ１２からの鍵指定情報にしたがって、Ｃ５のＬＥＤ（符号９０２参照）を点灯させるために、データ線Ｘ０をローレベルにする。これにより、Ｃ５のＬＥＤが点灯する。
【００５２】
本発明においては、Ｙ個のコモン線よりも少ないＮ個のフェーズで、時分割数をＮとしてコモン線を駆動するときに、Ｎ＝Ｐ＋ＱとなるようなＰ個のフェーズでは、Ｐ個のコモン線を順次駆動し、かつ、Ｑ＝Ｐ−ＮであるＱ個のフェーズで、Ｙ−Ｐ個のコモン線の何れかを駆動する。
【００５３】
これにより、ＬＥＤマトリクス回路において、同時に点灯される数を確保すべきＬＥＤは、上記Ｐ個のコモン線に接続し、その一方、同時に点灯させる数が制限できるＬＥＤについては、残りのＹ−Ｐ個のコモン線に接続することで、マトリクス回路に接続されるコモン線を増大させることなく、適切にＬＥＤを点灯させることが可能となる。
【００５４】
たとえば、Ｙ＝８、Ｎ＝４、Ｐ＝３、Ｑ＝１としたものが第１の実施の形態である。第１の実施の形態によれば、複数のＬＥＤを同時に点灯しなければならない鍵域のＬＥＤについては、１つのコモン線に１フェーズを与え、その一方、単一のＬＥＤを点灯させれば良い鍵域のＬＥＤについては、複数のコモン線に１フェーズを与え、当該複数のコモン線から１つのコモン線を選択する。
【００５５】
つまり、本実施の形態においては、電子楽器の鍵盤が２つの鍵域に分割され、同時に点灯すべきＬＥＤ数を制限しない第１の鍵域（伴奏エリア）については、当該鍵のＬＥＤに接続されたコモン線のそれぞれに１フェーズを与える。その一方、同時に点灯すべきＬＥＤ数が制限された（たとえば、同時に点灯するＬＥＤ数が１）第２の鍵域（メロディエリア）については、ＬＥＤに接続されたコモン線の数より少ないフェーズを与え、与えられたフェーズにおいて、選択されたコモン線のみをハイレベルとして、コモン線に接続されたＬＥＤを点灯可能とする。
【００５６】
これにより、時分割数を多くすることなく、かつ、多数のＬＥＤを点灯させる鍵域の鍵について適切にＬＥＤを点灯させることが可能となる。
【００５７】
次に、本発明の第２の実施の形態について説明する。第１の実施の形態においては、Ｙ＝８（８つのコモン線）、Ｎ＝４（４つのフェーズ）、Ｐ＝３（３つのコモン線にそれぞれ１つのフェーズを与える）およびＱ＝１（残りの５つのコモン線の何れかに１つのフェーズを与える）とした。第２の実施の形態においては、Ｙ＝８、Ｎ＝４とする点は第１の実施の形態と同様であるが、Ｐ＝２（２つのコモン線のそれぞれに１フェーズを与える）およびＱ＝２（残りの６本のコモン線に２つのフェーズを与える）としている。
【００５８】
図１１は、第２の実施の形態にかかるＬＥＤ駆動回路の構成を示すブロックダイヤグラムである。図１１に示すように、第２の実施の形態にかかる駆動回路２２も、Ｙ信号（コモン線）タイミング制御部１４２、セレクタ１４４およびＸ信号（データ線）タイミング制御部４６を有する。
【００５９】
第２の実施の形態においては、Ｙ信号タイミング制御部１４２は、２本のコモン線Ｙ０、Ｙ１と接続され、セレクタ１４４が、残りの６本のコモン線Ｙ２〜Ｙ７と接続される。
【００６０】
Ｙ信号タイミング制御部１４２は、２本のコモン線Ｙ０〜Ｙ１、および、セレクタ４４に接続された２つの信号線（符号１４８、１４９参照）の４本の信号線を時分割に駆動することになる。Ｙ信号タイミング制御部１４２は、セレクタ４４に選択信号を出力し、第３フェーズおよび第４フェーズのそれぞれにおいて、コモン線Ｙ２〜Ｙ７の何れか一本のコモン線を選択させる。
【００６１】
図１２は、第２の実施の形態にかかるコモン線の時分割駆動を説明するタイミングチャートである。図１２に示すように、第２の実施の形態においても時分割数は４であり、第１フェーズ（図１２におけるＩ）から第４フェーズ（図１２におけるＩＶ）のそれぞれで、Ｙ２〜Ｙ７の何れかのコモン線がハイレベルとなっている。
【００６２】
Ｙ信号タイミング制御部４２およびセレクタ４４により、第１フェーズではコモン線Ｙ０がハイレベル、第２フェーズではコモン線Ｙ１がハイレベル、第３フェーズでは、Ｙ２〜Ｙ７のうち、セレクタ１４４で選択されたいずれかのコモン線Ｙｉ（ｉ＝２〜７）がハイレベル、第４フェーズでは、コモン線Ｙ２〜Ｙ７のうちセレクタ１４４で選択されたいずれかのコモン線Ｙｊ（ｊ＝２〜７）がハイレベルとなる。ここで、ＹｉとＹｊは、同じコモン線であっても良いし、異なるコモン線であっても良い。
【００６３】
第２の実施の形態においても、電子楽器の鍵盤が２つの鍵域に分割され、同時に点灯すべきＬＥＤ数を制限しない鍵域については、当該鍵のＬＥＤに接続されたコモン線のそれぞれに１フェーズを与える。その一方、同時に点灯すべきＬＥＤ数が制限された鍵域については、ＬＥＤに接続されたコモン線の数より少ないフェーズを与え、与えられたフェーズにおいて、選択されたコモン線のみをハイレベルとして、コモン線に接続されたＬＥＤを点灯可能とする。
【００６４】
これにより、時分割数を多くすることなく、かつ、多数のＬＥＤを点灯させる鍵域の鍵について適切にＬＥＤを点灯させることが可能となる。特に、第２の実施の形態では、点灯すべきＬＥＤ数が制限される第２の鍵域のＬＥＤについても、複数のフェーズを与えているため、第１の実施の形態と比較してより多く（たとえば、２つ）のＬＥＤを同時に点灯することが可能となる。
【００６５】
本発明は、以上の実施の形態に限定されることなく、特許請求の範囲に記載された発明の範囲内で、種々の変更が可能であり、それらも本発明の範囲内に包含されるものであることは言うまでもない。
【００６６】
たとえば、上記実施の形態においては、コモン線がハイレベルであるときにアクティブであり、かつ、データ線がローレベルであるときにアクティブであったがこれに限定されるものではなく、双方がハイレベル或いは双方がローレベルであるときにアクティブであるように構成しても良く、また、コモン線がローレベルでアクティブ、かつ、データ線がハイレベルのときにアクティブであるように構成しても良い。
【００６７】
また、第１の実施の形態においては、Ｙ＝８、Ｎ＝４、Ｐ＝３、Ｑ＝１であり、第２の実施の形態においては、Ｙ＝８、Ｎ＝４、Ｐ＝２、Ｑ＝２であるが、時分割数Ｎや、１フェーズが与えられるコモン線の数Ｐなどはこれに限定されるものではない。また、コモン線の数（Ｙ＝８）や、データ線の数（Ｘ＝８）も、上記実施の形態に限定されるものではない。
【００６８】
さらに、前記実施の形態においては、ＬＥＤ駆動回路２２を別途設けているが、ＣＰＵ１２にＬＥＤ駆動回路２２の機能を実現させても良い。押鍵検出回路２４についても同様である。
【図面の簡単な説明】
【００６９】
【図１】図１は、本発明の実施の形態にかかる電子楽器の構成を示すブロックダイヤグラムである。
【図２】図２は、本実施の形態にかかるＬＥＤ駆動回路およびＬＥＤマトリクス回路を示すブロックダイヤグラムである。
【図３】図３は、本実施の形態にかかるＬＥＤマトリクス回路の構成を示すブロックダイヤグラムである。
【図４】図４は、本実施の形態にかかるＬＥＤ駆動回路をより詳細に示すブロックダイヤグラムである。
【図５】図５は、本実施の形態にかかるコモン線の時分割駆動を説明するタイミングチャートである。
【図６】図６は、第１フェーズにおいて、点灯すべきＬＥＤを説明するＬＥＤマトリクスのブロックダイヤグラムである。
【図７】図７は、第２フェーズにおいて、点灯すべきＬＥＤを説明するＬＥＤマトリクスのブロックダイヤグラムである。
【図８】図８は、第３フェーズにおいて、点灯すべきＬＥＤを説明するＬＥＤマトリクスのブロックダイヤグラムである。
【図９】図９は、第4フェーズにおいて、点灯すべきＬＥＤを説明するＬＥＤマトリクスのブロックダイヤグラムである。
【図１０】図１０は、コモン線およびデータ線のタイミングチャートである。
【図１１】図１１は、第２の実施の形態にかかるＬＥＤ駆動回路の構成を示すブロックダイヤグラムである。
【図１２】図１２は、第２の実施の形態にかかるコモン線の時分割駆動を説明するタイミングチャートである。
【符号の説明】
【００７０】
１０        電子楽器
１１        鍵盤
１２        ＣＰＵ
１４        ＲＯＭ
１６        ＲＡＭ
１８        楽音発生回路
２０        サウンドシステム
２２        ＬＥＤ駆動回路
２４        押鍵検出回路
３０        鍵
３２        ＬＥＤ
４０        ＬＥＤマトリクス回路
４２        Ｙ信号（コモン線）タイミング制御部
４４        セレクタ
４６        Ｘ信号（コモン線）タイミング制御部
【図１】
0005050703.tif 000002
【図２】
0005050703.tif 000003
【図３】
0005050703.tif 000004
【図４】
0005050703.tif 000005
【図５】
0005050703.tif 000006
【図６】
0005050703.tif 000007
【図７】
0005050703.tif 000008
【図８】
0005050703.tif 000009
【図９】
0005050703.tif 000010
【図１０】
0005050703.tif 000011
【図１１】
0005050703.tif 000012
【図１２】
0005050703.tif 000013